【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
画像処理システムであって、
それぞれがラスタデータを生成して記憶する複数のＲＩＰ装置と、
１の被処理データを複数の領域に分割して複数の分割データを生成する分割手段と、
同一の被処理データから生成された複数の分割データについて、１のＲＩＰ装置に割り当てる分割データの最大数が最も小さくなる最大分配数を決定する決定手段と、
前記分割手段により生成された分割データを前記複数のＲＩＰ装置のいずれかに割り当てる分配手段と、
選択された１の被処理データに対する処理を開始するときに前記選択された１の被処理データを構成するラスタデータの送信を前記複数のＲＩＰ装置に対して要求し、前記複数のＲＩＰ装置から受信したラスタデータに基づいて前記選択された１の被処理データに対する１の描画データを生成する描画システムと、
同一の被処理データから生成された複数の分割データについて、ラスタデータに変換する際の優先順位を設定する設定手段と、
前記複数のＲＩＰ装置のうち、動作可能なＲＩＰ装置を検出する検出手段と、
を備え、
前記分配手段は、
前記複数のＲＩＰ装置のうちのいずれのＲＩＰ装置についても、同一の被処理データから生成された分割データの数が、前記決定手段により決定された最大分配数以下となるように分配し、
前記設定手段により設定された優先順位に応じて、前記複数の分割データを、順次、割り当て、
前記決定手段は、前記検出手段により検出された動作可能なＲＩＰ装置の数と、前記分割手段による１の被処理データの分割数とに基づいて、前記最大分配数を決定することを特徴とする画像処理システム。
【請求項２】
請求項１に記載の画像処理システムであって、
前記設定手段は、１の被処理データの両端部の領域に相当する分割データの優先順位を、他の分割データより低く設定することを特徴とする画像処理システム。
【請求項３】
請求項１または請求項２に記載の画像処理システムであって、
前記複数のＲＩＰ装置について、これまでに割り当てられた分割データの履歴情報を記憶する記憶手段を備え、
前記分配手段は、次回の分割データを割り当てる候補となるＲＩＰ装置を前記複数のＲＩＰ装置から選択し、前記記憶手段に記憶されている履歴情報を参照しつつ前記候補となるＲＩＰ装置がこれまでに処理した分割データについて前記次回の分割データと同一の被処理データから生成された分割データの数を分配済み数として取得するとともに、前記決定手段により決定された最大分配数と前記分配済み数とを比較し、前記最大分配数が前記分配済み数より大きい場合にのみ、前記候補となるＲＩＰ装置に前記次回の分割データを割り当てることを特徴とする画像処理システム。
【請求項４】
請求項３に記載の画像処理システムであって、
前記分配手段は、既に割り当てられた分割データについての処理を完了しているＲＩＰ装置を、前記候補となるＲＩＰ装置として選択することを特徴とする画像処理システム。
【請求項５】
それぞれがラスタデータを生成して記憶する複数のＲＩＰ装置を備えた画像処理システムの制御装置であって、
１の被処理データを複数の領域に分割して複数の分割データを生成する分割手段と、
前記分割手段によって同一の被処理データから生成された複数の分割データについて、１のＲＩＰ装置に割り当てる分割データの最大数が最も小さくなる最大分配数を決定する決定手段と、
前記分割手段により生成された分割データを前記複数のＲＩＰ装置のいずれかに割り当てる分配手段と、
同一の被処理データから生成された複数の分割データについて、ラスタデータに変換する際の優先順位を設定する設定手段と、
前記複数のＲＩＰ装置のうち、動作可能なＲＩＰ装置を検出する検出手段と、
を備え、
前記分配手段は、
前記複数のＲＩＰ装置のうちのいずれのＲＩＰ装置についても、同一の被処理データから生成された分割データの数が、前記決定手段により決定された最大分配数以下となるように分配し、
前記設定手段により設定された優先順位に応じて、前記複数の分割データを、順次、割り当て、
前記決定手段は、前記検出手段により検出された動作可能なＲＩＰ装置の数と、前記分割手段による１の被処理データの分割数とに基づいて、前記最大分配数を決定することを特徴とする制御装置。
【請求項６】
複数のＲＩＰ装置に接続されるコンピュータによって実行可能なプログラムであって、前記プログラムの前記コンピュータによる実行は、前記コンピュータを、
入力装置から入力された１の被処理データを複数の領域に分割して複数の分割データを生成する分割手段と、
前記分割手段によって同一の被処理データから生成された複数の分割データについて、前記複数のＲＩＰ装置のうちの１のＲＩＰ装置に割り当てる分割データの最大数が最も小さくなる最大分配数を決定する決定手段と、
前記分割手段により生成された分割データを前記複数のＲＩＰ装置のいずれかに割り当てる分配手段と、
前記分配手段によって割り当てがされた分割データを、前記複数のＲＩＰ装置のうちの割り当てられたＲＩＰ装置に送信する通信手段と、
同一の被処理データから生成された複数の分割データについて、ラスタデータに変換する際の優先順位を設定する設定手段と、
前記複数のＲＩＰ装置のうち、動作可能なＲＩＰ装置を検出する検出手段と、
を備え、
前記分配手段は、
前記複数のＲＩＰ装置のうちのいずれのＲＩＰ装置についても、同一の被処理データから生成された分割データの数が、前記決定手段により決定された最大分配数以下となるように分配し、
前記設定手段により設定された優先順位に応じて、前記複数の分割データを、順次、割り当て、
前記決定手段は、前記検出手段により検出された動作可能なＲＩＰ装置の数と、前記分割手段による１の被処理データの分割数とに基づいて、前記最大分配数を決定する制御装置として機能させることを特徴とするプログラム。
【手続補正２】
【補正対象書類名】明細書
【補正対象項目名】００１２
【補正方法】変更
【補正の内容】
【００１２】
上記の課題を解決するため、請求項１の発明は、画像処理システムであって、それぞれがラスタデータを生成して記憶する複数のＲＩＰ装置と、１の被処理データを複数の領域に分割して複数の分割データを生成する分割手段と、同一の被処理データから生成された複数の分割データについて、１のＲＩＰ装置に割り当てる分割データの最大数が最も小さくなる最大分配数を決定する決定手段と、前記分割手段により生成された分割データを前記複数のＲＩＰ装置のいずれかに割り当てる分配手段と、選択された１の被処理データに対する処理を開始するときに前記選択された１の被処理データを構成するラスタデータの送信を前記複数のＲＩＰ装置に対して要求し、前記複数のＲＩＰ装置から受信したラスタデータに基づいて前記選択された１の被処理データに対する１の描画データを生成する描画システムと、同一の被処理データから生成された複数の分割データについて、ラスタデータに変換する際の優先順位を設定する設定手段と、前記複数のＲＩＰ装置のうち、動作可能なＲＩＰ装置を検出する検出手段と、を備え、前記分配手段は、前記複数のＲＩＰ装置のうちのいずれのＲＩＰ装置についても、同一の被処理データから生成された分割データの数が、前記決定手段により決定された最大分配数以下となるように分配し、前記設定手段により設定された優先順位に応じて、前記複数の分割データを、順次、割り当て、前記決定手段は、前記検出手段により検出された動作可能なＲＩＰ装置の数と、前記分割手段による１の被処理データの分割数とに基づいて、前記最大分配数を決定することを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
また、請求項２の発明は、請求項１の発明に係る画像処理システムであって、前記設定手段は、１の被処理データの両端部の領域に相当する分割データの優先順位を、他の分割データより低く設定することを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
また、請求項３の発明は、請求項１または請求項２の発明に係る画像処理システムであって、前記複数のＲＩＰ装置について、これまでに割り当てられた分割データの履歴情報を記憶する記憶手段を備え、前記分配手段は、次回の分割データを割り当てる候補となるＲＩＰ装置を前記複数のＲＩＰ装置から選択し、前記記憶手段に記憶されている履歴情報を参照しつつ前記候補となるＲＩＰ装置がこれまでに処理した分割データについて前記次回の分割データと同一の被処理データから生成された分割データの数を分配済み数として取得するとともに、前記決定手段により決定された最大分配数と前記分配済み数とを比較し、前記最大分配数が前記分配済み数より大きい場合にのみ、前記候補となるＲＩＰ装置に前記次回の分割データを割り当てることを特徴とする。
【手続補正７】
【補正対象書類名】明細書
【補正対象項目名】００１７
【補正方法】変更
【補正の内容】
【００１７】
また、請求項４の発明は、請求項３の発明に係る画像処理システムであって、前記分配手段は、既に割り当てられた分割データについての処理を完了しているＲＩＰ装置を、前記候補となるＲＩＰ装置として選択することを特徴とする。
【手続補正８】
【補正対象書類名】明細書
【補正対象項目名】００１８
【補正方法】変更
【補正の内容】
【００１８】
また、請求項５の発明は、それぞれがラスタデータを生成して記憶する複数のＲＩＰ装置を備えた画像処理システムの制御装置であって、１の被処理データを複数の領域に分割して複数の分割データを生成する分割手段と、前記分割手段によって同一の被処理データから生成された複数の分割データについて、１のＲＩＰ装置に割り当てる分割データの最大数が最も小さくなる最大分配数を決定する決定手段と、前記分割手段により生成された分割データを前記複数のＲＩＰ装置のいずれかに割り当てる分配手段と、同一の被処理データから生成された複数の分割データについて、ラスタデータに変換する際の優先順位を設定する設定手段と、前記複数のＲＩＰ装置のうち、動作可能なＲＩＰ装置を検出する検出手段と、を備え、前記分配手段は、前記複数のＲＩＰ装置のうちのいずれのＲＩＰ装置についても、同一の被処理データから生成された分割データの数が、前記決定手段により決定された最大分配数以下となるように分配し、前記設定手段により設定された優先順位に応じて、前記複数の分割データを、順次、割り当て、前記決定手段は、前記検出手段により検出された動作可能なＲＩＰ装置の数と、前記分割手段による１の被処理データの分割数とに基づいて、前記最大分配数を決定することを特徴とする。
【手続補正９】
【補正対象書類名】明細書
【補正対象項目名】００１９
【補正方法】変更
【補正の内容】
【００１９】
また、請求項６の発明は、複数のＲＩＰ装置に接続されるコンピュータによって実行可能なプログラムであって、前記プログラムの前記コンピュータによる実行は、前記コンピュータを、入力装置から入力された１の被処理データを複数の領域に分割して複数の分割データを生成する分割手段と、前記分割手段によって同一の被処理データから生成された複数の分割データについて、前記複数のＲＩＰ装置のうちの１のＲＩＰ装置に割り当てる分割データの最大数が最も小さくなる最大分配数を決定する決定手段と、前記分割手段により生成された分割データを前記複数のＲＩＰ装置のいずれかに割り当てる分配手段と、前記分配手段によって割り当てがされた分割データを、前記複数のＲＩＰ装置のうちの割り当てられたＲＩＰ装置に送信する通信手段と、同一の被処理データから生成された複数の分割データについて、ラスタデータに変換する際の優先順位を設定する設定手段と、前記複数のＲＩＰ装置のうち、動作可能なＲＩＰ装置を検出する検出手段と、を備え、前記分配手段は、前記複数のＲＩＰ装置のうちのいずれのＲＩＰ装置についても、同一の被処理データから生成された分割データの数が、前記決定手段により決定された最大分配数以下となるように分配し、前記設定手段により設定された優先順位に応じて、前記複数の分割データを、順次、割り当て、前記決定手段は、前記検出手段により検出された動作可能なＲＩＰ装置の数と、前記分割手段による１の被処理データの分割数とに基づいて、前記最大分配数を決定する制御装置として機能させることを特徴とする。
【手続補正１０】
【補正対象書類名】明細書
【補正対象項目名】００２０
【補正方法】変更
【補正の内容】
【００２０】
請求項１ないし請求項６に記載の発明では、１の被処理データを複数の領域に分割して複数の分割データを生成し、同一の被処理データから生成された複数の分割データについて、１のＲＩＰ装置に割り当てる分割データの最大数が最も小さくなる最大分配数を決定し、複数のＲＩＰ装置のうちのいずれのＲＩＰ装置についても、同一の被処理データから生成された分割データの数が、決定された最大分配数以下となるように分配することにより、全ラスタデータの転送完了までに要する時間を短縮できる。したがって、描画処理に要する時間を短縮できる。
【手続補正１１】
【補正対象書類名】明細書
【補正対象項目名】００２１
【補正方法】変更
【補正の内容】
【００２１】
また、請求項１ないし請求項６に記載の発明では、同一の被処理データから生成された複数の分割データについて、ラスタデータに変換する際の優先順位を設定し、設定された優先順位に応じて、複数の分割データを、順次、割り当てることにより、例えば、ＲＩＰ処理に要する時間が長いと見込まれる分割データから順に優先順位を設定しておけば、時間を要する分割データから先にＲＩＰ処理が開始されるので、１の被処理データのＲＩＰ処理の時間を短縮できる。
【手続補正１２】
【補正対象書類名】明細書
【補正対象項目名】００２２
【補正方法】変更
【補正の内容】
【００２２】
請求項２に記載の発明では、１の被処理データの両端部の領域に相当する分割データの優先順位を、他の分割データより低く設定することにより、マージン領域に相当する分割データの優先順位を下げることになるので、１の被処理データのＲＩＰ処理の時間を短縮できる。
【手続補正１３】
【補正対象書類名】明細書
【補正対象項目名】００２３
【補正方法】変更
【補正の内容】
【００２３】
また、請求項１ないし請求項６に記載の発明では、複数のＲＩＰ装置のうち、動作可能なＲＩＰ装置を検出し、検出された動作可能なＲＩＰ装置の数と、１の被処理データの分割数とに基づいて、最大分配数を決定することにより、ＲＩＰ装置の故障等、画像処理システム内における動作可能なＲＩＰ装置の数が変化した場合にも効率的な割り当てを行うことができる。